(57)【要約】      （修正有）【課題】簡単な構成で、発電効率を高めることができる回転体用発電装置を提供する。【解決手段】支持部材１１が、細長い軸材２５を回転体に対して固定したり固定を解除したりするよう構成されている。各回転部材１２ａ，１２ｂが、それぞれ軸材２５の両端に、軸材２５を中心軸として軸材２５の周りを回転可能に設けられている。制御部１５が、各回転部材１２ａ，１２ｂの軸材周りの回転による運動方向が、回転体の回転による運動方向と一致して各回転部材１２ａ，１２ｂが加速されるとき、軸材２５の回転体に対する固定を解除し、各回転部材１２ａ，１２ｂの軸材周りの回転による運動方向が、回転体の回転による運動方向と逆になるとき、軸材２５を回転体に対して固定するよう構成されている。発電部１６が、回転体の回転により各回転部材１２ａ，１２ｂが加速されて獲得したエネルギーを回収して発電する。【選択図】図３
2010156203.tif 000002
【特許請求の範囲】
【請求項１】
回転体の回転エネルギーを回収して発電する回転体用発電装置であって、
支持部材と１対の回転部材と制御部と発電部とを有し、
前記支持部材は前記回転体に設置され、細長い軸材を有し、前記軸材を前記回転体に対して固定および固定の解除を可能に構成されており、
各回転部材はそれぞれ前記軸材の両端に、前記軸材を中心軸として前記軸材の周りを回転可能に設けられ、前記軸材周りの回転中心に対して互いに１８０度ずれて回転するよう構成されており、
前記制御部は各回転部材の前記軸材周りの回転による運動方向が前記回転体の回転による運動方向と一致して各回転部材が加速されるとき、前記軸材が前記回転体の回転から独立可能に前記軸材の前記回転体に対する固定を解除し、各回転部材の前記軸材周りの回転による運動方向が前記回転体の回転による運動方向と逆になるとき、前記軸材が前記回転体とともに回転可能に前記軸材を前記回転体に対して固定するよう構成されており、
前記発電部は前記回転体の回転により各回転部材が加速されて獲得したエネルギーを回収して発電するよう設けられていることを、
特徴とする回転体用発電装置。
【請求項２】
１対の反転部材を有し、
各反転部材はそれぞれ前記軸材の両端に、前記軸材と平行な軸を中心としてその軸の周りを各回転部材とは反対向きに各回転部材と同じ回転数で回転可能に設けられ、その回転中心に対して互いに１８０度ずれて回転するよう構成されていることを、
特徴とする請求項１記載の回転体用発電装置。
【発明の詳細な説明】
【技術分野】
【０００１】
本発明は、回転体の回転エネルギーを回収して発電する回転体用発電装置に関する。
【背景技術】
【０００２】
従来、回転体の回転エネルギーを回収して発電する装置として、ジャイロスコープの歳差運動を利用して、地球の回転エネルギーを回収して発電するものがある（例えば、特許文献１参照）。
【０００３】
【特許文献１】特表平８−５０３７６８号公報
【発明の開示】
【発明が解決しようとする課題】
【０００４】
しかしながら、特許文献１に記載の装置は、ジャイロスコープを利用しているため、構成が複雑であり、たとえエネルギーが得られても摩擦等による損失が大きく、発電効率が低いという課題があった。
【０００５】
本発明は、このような課題に着目してなされたもので、簡単な構成で、発電効率を高めることができる回転体用発電装置を提供することを目的としている。
【課題を解決するための手段】
【０００６】
上記目的を達成するために、本発明に係る回転体用発電装置は、回転体の回転エネルギーを回収して発電する回転体用発電装置であって、支持部材と１対の回転部材と制御部と発電部とを有し、前記支持部材は前記回転体に設置され、細長い軸材を有し、前記軸材を前記回転体に対して固定および固定の解除を可能に構成されており、各回転部材はそれぞれ前記軸材の両端に、前記軸材を中心軸として前記軸材の周りを回転可能に設けられ、前記軸材周りの回転中心に対して互いに１８０度ずれて回転するよう構成されており、前記制御部は各回転部材の前記軸材周りの回転による運動方向が前記回転体の回転による運動方向と一致して各回転部材が加速されるとき、前記軸材が前記回転体の回転から独立可能に前記軸材の前記回転体に対する固定を解除し、各回転部材の前記軸材周りの回転による運動方向が前記回転体の回転による運動方向と逆になるとき、前記軸材が前記回転体とともに回転可能に前記軸材を前記回転体に対して固定するよう構成されており、前記発電部は前記回転体の回転により各回転部材が加速されて獲得したエネルギーを回収して発電するよう設けられていることを、特徴とする。
【０００７】
本発明に係る回転体用発電装置は、以下の原理により、回転体の回転エネルギーを回収して発電することができる。すなわち、図１に示すように、回転体は、角速度Ωで水平面内で回転しているものとする。支持部材は、回転体の表面から垂直に立ち上がるよう設けられた支柱を有し、軸材は支柱の上部に水平に設けられ、支柱からの距離ｌの両端に質量が集中しているものとし、これを物質ｍ２とする。各回転部材ｍ１は、軸材の周りを半径ｒ、角速度ωで垂直面内で回転しているものとする。
【０００８】
軸材が回転体とともに回転するよう回転体に対して固定されている場合、回転体の質量が各回転部材ｍ１の質量よりはるかに大きいとすると、物質ｍ２は、各回転部材ｍ１の回転に関わらず、一定の角速度Ωで水平面内で回転する。このとき、図２に示すように、物質ｍ２の回転半径がｌであるため、物質ｍ２の速度はΩｌとなる。一方、各回転部材ｍ１は、物質ｍ２の周りを、物質ｍ２の上部または下部で物質ｍ２の運動方向になり、物質ｍ２の下部または上部で物質ｍ２の運動方向とは反対方向になるよう回転している。このため、各回転部材ｍ１は、物質ｍ２周りの回転による運動方向が物質ｍ２の運動方向と一致するとき、速度がωｒ＋Ωｌとなり、物質ｍ２周りの回転による運動方向が物質ｍ２の運動方向と逆になるとき、速度がωｒ−Ωｌとなる。また、各回転部材ｍ１は、物質ｍ２と水平になるとき、水平方向の速度がΩｌとなる。このように、各回転部材ｍ１は、物質ｍ２周りの回転による運動方向が物質ｍ２の回転による運動方向、すなわち回転体の回転による運動方向と逆になる位置から、物質ｍ２の回転による運動方向、すなわち回転体の回転による運動方向と一致する位置まで回転する間に、速度が２Ωｌ増加し、加速されている。この速度の増加を角速度に換算すると、２Ωｌ／ｒとなる。
【０００９】
次に、各回転部材ｍ１の物質ｍ２周りの回転による運動方向が物質ｍ２の運動方向と一致して各回転部材ｍ１が加速されるとき、軸材が回転体の回転から独立するよう軸材の回転体に対する固定を解除した場合、各回転部材ｍ１の回転が物質ｍ２の回転に影響を与える。すなわち、軸材の回転体に対する固定を解除したとき、各回転部材ｍ１の速度はωｒ＋Ωｌ、物質ｍ２の速度はΩｌであるため、物質ｍ２が各回転部材ｍ１に引っ張られて加速し、角速度が増加する。一方で、各回転部材ｍ１の角速度は減少する。これにより、物質ｍ２、すなわち軸材の角速度の増加分を位置エネルギー等に変換して回収することができる。
【００１０】
各回転部材ｍ１の物質ｍ２周りの回転による運動方向が物質ｍ２の運動方向と逆になる位置まで各回転部材ｍ１が回転したとき、物質ｍ２の速度がΩｌ、各回転部材ｍ１の速度がωｒ−Ωｌとなるよう調整して、軸材が回転体とともに回転するよう再び軸材を回転体に対して固定する。
【００１１】
各回転部材ｍ１が物質ｍ２周りに一周する間に得られるエネルギーＥは、各回転部材ｍ１の慣性モーメントをＩ１とすると、
【数１】
2010156203.tif 000003
となる。
【００１２】
長さｒ、質量ｍの棒の慣性モーメントＩは、Ｉ＝ｍｒ２／３であるため、各回転部材ｍ１が棒状の場合は、
【数２】
2010156203.tif 000004
となる。
【００１３】
各回転部材ｍ１の回転数をｆとすると、ω＝２πｆであり、単位時間の仕事率Ｗは、Ｗ＝Ｅｆであるため、
【数３】
2010156203.tif 000005
となる。
【００１４】
このように、本発明に係る回転体用発電装置は、回転体の回転により各回転部材が加速されて獲得したエネルギーを回収して、発電部により発電することができる。また、ジャイロスコープを利用しないため、構成が簡単である。このため、摩擦等による損失を抑えることができ、発電効率を高めることができる。本発明に係る回転体用発電装置は、各回転部材が軸材周りの回転中心に対して互いに１８０度ずれて回転するよう構成されているため、回転体の回転がなければ、各回転部材を一定の角速度で軸材周りに回転させることができる。
【００１５】
本発明に係る回転体用発電装置で、回転体は、地球等、その質量が各回転部材の質量よりはるかに大きいものであれば、いかなる回転体から成っていてもよい。本発明に係る回転体用発電装置は、回転体が地球から成る場合、地球の自転のエネルギーを回収して発電することができる。また、回転体が地球から成る場合、地球上のどこに設置しても１日１回転するため、発電可能である。
【００１６】
具体的な一例として、支持部材を地球上に設置した場合、各回転部材ｍ１の質量を１ｋｇ、ｒ＝１ｍ、ｌ＝１ｍ、ｆ＝１０００回転／秒とすると、
【数４】
2010156203.tif 000006
となる。
【００１７】
本発明に係る回転体用発電装置は、１対の反転部材を有し、各反転部材はそれぞれ前記軸材の両端に、前記軸材と平行な軸を中心としてその軸の周りを各回転部材とは反対向きに各回転部材と同じ回転数で回転可能に設けられ、その回転中心に対して互いに１８０度ずれて回転するよう構成されていることが好ましい。この場合、各回転部材の回転により発生する遠心力を、各反転部材の回転により相殺することができる。このため、各回転部材の回転による振動を防止することができ、装置が破損するのを防ぐことができる。
【発明の効果】
【００１８】
本発明によれば、簡単な構成で、発電効率を高めることができる回転体用発電装置を提供することができる。
【発明を実施するための最良の形態】
【００１９】
以下、図面に基づき、本発明の実施の形態について説明する。
図３乃至図５は、本発明の実施の形態の回転体用発電装置を示している。
図３および図４に示すように、回転体用発電装置１０は、回転体の回転エネルギーを回収して発電する回転体用発電装置１０であって、支持部材１１と１対の回転部材１２ａ，１２ｂと１対の反転部材１３ａ，１３ｂと回転駆動部１４と制御部１５と発電部１６とを有している。
【００２０】
図３および図４に示すように、支持部材１１は、上部基板２１と下部基板２２と支持軸２３と１対の柱材２４と軸材２５と１対の反転軸２６とを有している。上部基板２１および下部基板２２は、同じ大きさで矩形状を成している。上部基板２１および下部基板２２は、互いに所定の間隔をあけて配置されている。下部基板２２は、回転体とともに回転するよう回転体の表面に固定可能になっている。図４に示すように、支持軸２３は、下部基板２２の中心に、下部基板２２の上面に対して垂直上方に伸びるよう固定されている。支持軸２３は、上部基板２１の中心を貫通し、上部基板２１の上面より上方まで伸びている。
【００２１】
図３および図４に示すように、各柱材２４は、矩形板状を成し、互いに対向するよう上部基板２１に設けられている。各柱材２４は、上部基板２１の互いに平行な１対の側縁の中央部に、上部基板２１の上面に対して垂直上方に伸びるよう取り付けられている。軸材２５は、細長く、各柱材２４の上部に、各柱材２４に架け渡されて設けられている。軸材２５は、上部基板２１の上面に対して平行を成し、両端が各柱材２４を貫通している。軸材２５は、下部基板２２で回転体に設置されたとき、回転体の表面に対してほぼ平行になるよう設けられている。軸材２５は、その中心軸の周りに回転するよう、各柱材２４に取り付けられている。軸材２５は、各柱材２４の内側の両端に取り付けられた１対の回転歯車２７と、一方の端面に取り付けられた回転基準板２８とを有している。
【００２２】
各反転軸２６は、細長く、各柱材２４の軸材２５より下部に、各柱材２４を貫通して各柱材２４の外側に突出するよう設けられている。各反転軸２６は、各柱材２４の内側に設けられた反転歯車２９を有している。各反転歯車２９は、各回転歯車２７と同じ規格を有し、それぞれ各回転歯車２７と噛み合うよう取り付けられている。各反転軸２６は、各反転歯車２９および各回転歯車２７を介して、軸材２５とともに、軸材２５とは反対向きに軸材２５と同じ回転数で回転するようになっている。
【００２３】
図３および図４に示すように、各回転部材１２ａ，１２ｂは、円柱状を成し、各柱材２４および各回転歯車２７の間で、それぞれ軸材２５の両端に設けられている。各回転部材１２ａ，１２ｂは、軸材２５に対して垂直を成すよう一端が軸材２５に固定されており、軸材２５を中心軸として、軸材２５とともに軸材２５の周りを回転可能になっている。各回転部材１２ａ，１２ｂは、軸材２５周りの回転中心、すなわち軸材２５の中心軸に対して、互いに１８０度ずれて回転するよう取り付けられている。
【００２４】
図３および図４に示すように、各反転部材１３ａ，１３ｂは、円柱状を成し、それぞれ各柱材２４の外側で各反転軸２６に取り付けられている。各反転部材１３ａ，１３ｂは、各反転軸２６に対して垂直を成すよう一端が各反転軸２６に固定されており、反転軸２６を中心軸として、反転軸２６とともに反転軸２６の周りを回転可能になっている。また、各反転部材１３ａ，１３ｂは、反転軸２６周りの回転中心に対して互いに１８０度ずれて回転するよう取り付けられている。これにより、各反転部材１３ａ，１３ｂは、それぞれ軸材２５の両端に配置されて、軸材２５と平行な反転軸２６を中心として反転軸２６の周りを各回転部材１２ａ，１２ｂとは反対向きに各回転部材１２ａ，１２ｂと同じ回転数で回転可能になっている。
【００２５】
図３および図４に示すように、回転駆動部１４は、回転モーターから成り、各柱材２４の内側で、一方の反転軸２６に取り付けられている。回転駆動部１４は、一方の反転軸２６を回転駆動可能に設けられ、これにより各反転軸２６、各軸材２５、各反転部材１３ａ，１３ｂおよび各回転部材１２ａ，１２ｂを回転可能になっている。回転駆動部１４は、回転の開始、停止、回転速度の調整が可能になっている。
【００２６】
図３および図４に示すように、制御部１５は、電磁ブレーキ３０とフォトセンサー３１とコントローラ３２とを有している。図４に示すように、電磁ブレーキ３０は、上部基板２１の下面の中央部に固定されている。電磁ブレーキ３０は、支持軸２３の周面を囲むよう設けられ、支持軸２３を上部基板２１に固定したり上部基板２１との固定を解除したりするよう、支持軸２３を着脱可能になっている。なお、この支持軸２３と上部基板２１との着脱により、軸材２５を回転体に対して固定したり固定を解除したりするようになっている。図３および図４に示すように、フォトセンサー３１は、回転基準板２８の上方の柱材２４の上端に取り付けられており、軸材２５に取り付けられた回転基準板２８の回転を検出可能になっている。
【００２７】
コントローラ３２は、上部基板２１の上面に設けられ、回転駆動部１４、フォトセンサー３１、電磁ブレーキ３０に接続されている。コントローラ３２は、回転駆動部１４の回転開始、回転停止、回転速度の調整を制御可能になっている。また、コントローラ３２は、回転基準板２８の回転に基づくフォトセンサー３１からの信号を入力可能になっている。コントローラ３２は、フォトセンサー３１からの信号に基づいて、電磁ブレーキ３０を制御して支持軸２３を上部基板２１に着脱可能になっている。
【００２８】
図３に示す具体的な一例では、コントローラ３２は、下部基板２２で回転体に設置されたとき、各回転部材１２ａ，１２ｂの軸材２５周りの回転による運動方向が、回転体の回転による運動方向と一致して各回転部材１２ａ，１２ｂが加速されるとき、すなわち、一方の回転部材１２ａが頂位になり他方の回転部材１２ｂが底位になるとき、軸材２５が回転体の回転から独立するよう軸材２５の回転体に対する固定を解除、すなわち支持軸２３と上部基板２１との固定を解除するようになっている。また、コントローラ３２は、各回転部材１２ａ，１２ｂの軸材２５周りの回転による運動方向が、回転体の回転による運動方向と逆になるとき、すなわち、他方の回転部材１２ｂが頂位になり一方の回転部材１２ａが底位になるとき、軸材２５が回転体とともに回転可能に軸材２５を回転体に対して固定、すなわち支持軸２３を上部基板２１に固定するようになっている。
【００２９】
図３および図４に示すように、発電部１６は、発電機から成り、上部基板２１の上面の中央部に、支持軸２３の上端を覆うよう取り付けられている。発電部１６は、回転体の回転により各回転部材１２ａ，１２ｂが加速されて獲得したエネルギーを、下部基板２２に対する上部基板２１の回転として支持軸２３の回転から回収して発電するようになっている。発電部１６は、コントローラ３２に接続され、発電した電気をコントローラ３２に送るようになっている。
【００３０】
図３に示すように、コントローラ３２は、各柱材２４の上端から上部に伸びるように設けられた配線案内部材３３に沿って配線されたケーブル３４を介して外部の電気回収装置に接続されている。コントローラ３２は、発電部１６で回収された電気を、外部の電気回収装置に送るようになっている。なお、コントローラ３２は、発電部１６で回収された電気や、ケーブル３４から送られる外部からの電気を、回転駆動部１４、フォトセンサー３１、電磁ブレーキ３０に供給可能になっている。
【００３１】
このように、回転体用発電装置１０は、回転体の回転により各回転部材１２ａ，１２ｂが加速されて獲得したエネルギーを回収して、発電部１６により発電することができる。回転体用発電装置１０は、ジャイロスコープを利用しないため、構成が簡単である。このため、摩擦等による損失を抑えることができ、発電効率を高めることができる。
【００３２】
回転体用発電装置１０は、各回転部材１２ａ，１２ｂが軸材２５周りの回転中心に対して互いに１８０度ずれて回転するよう構成されているため、回転体の回転がなければ、各回転部材１２ａ，１２ｂを一定の角速度で軸材２５周りに回転させることができる。また、各回転部材１２ａ，１２ｂの回転により発生する遠心力を、各反転部材１３ａ，１３ｂの回転により相殺することができるため、各回転部材１２ａ，１２ｂの回転による振動を防止することができ、装置が破損するのを防ぐことができる。
【００３３】
なお、図３に示すように、回転体用発電装置１０は、各回転部材１２ａ，１２ｂや各反転部材１３ａ，１３ｂの回転に対する空気抵抗をなくして発電効率を高めるため、真空ケース３５に入れられることが好ましい。
【００３４】
なお、図５に示すように、回転体用発電装置１０は、支持軸２３を中心とする円周に沿って上部基板２１の上に設けられ、上面に円周方向に沿って同一方向に傾斜する断続的な複数の傾斜面を有する回転板５１と、回転板５１の上面に配置され、回転板５１の回転により回転板５１の傾斜面に沿って回転して上下動可能に設けられた車輪５２と、車輪５２の中心を貫通し、上部基板２１に対して車輪５２の上下動とともに上下動可能に設けられたクランク軸５３と、クランク軸５３を下方の上部基板２１の側に付勢するバネ５４と、クランク軸５３の上部に形成されたラック部５３ａに噛み合うよう軸材２５に設けられ、クランク軸５３の上下動を軸材２５の所定の方向の回転に変換するためのワンウェイクラッチ５５とを有していてもよい。
【００３５】
この場合、回転体の回転により各回転部材１２ａ，１２ｂが加速されて獲得したエネルギーを、下部基板２２に対する上部基板２１の回転から、さらに回転板５１、車輪５２、クランク軸５３およびワンウェイクラッチ５５を介して、軸材２５の回転を加速させるエネルギーに変換することができる。このため、発電部１６を支持軸２３に取り付けることなく、加速された軸材２５の回転からエネルギーを回収することができる。
【図面の簡単な説明】
【００３６】
【図１】本発明に係る回転体用発電装置の回転体の回転エネルギーを回収する原理を示す斜視図である。
【図２】図１に示す回転体用発電装置の回転体の回転エネルギーを回収する原理を示す拡大側面図である。
【図３】本発明の実施の形態の回転体用発電装置を示す斜視図である。
【図４】図３に示す回転体用発電装置の正面図である。
【図５】図３に示す回転体用発電装置の変形例を示す、各回転部材および各反転部材を省略した斜視図である。
【符号の説明】
【００３７】
１０  回転体用発電装置
１１  支持部材
１２ａ，１２ｂ  回転部材
１３ａ，１３ｂ  反転部材
１４  回転駆動部
１５  制御部
１６  発電部
２１  上部基板
２２  下部基板
２３  支持軸
２４  柱材
２５  軸材
２６  反転軸
２７  回転歯車
２８  回転基準板
２９  反転歯車
３０  電磁ブレーキ
３１  フォトセンサー
３２  コントローラ
【図１】
2010156203.tif 000007
【図２】
2010156203.tif 000008
【図３】
2010156203.tif 000009
【図４】
2010156203.tif 000010
【図５】
2010156203.tif 000011
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
回転体の回転エネルギーを回収して発電する回転体用発電装置であって、
支持部材と１対の回転部材と制御部と発電部とを有し、
前記支持部材は前記回転体に設置され、前記回転体とともに回転するよう前記回転体の表面に固定可能な下部基板と、前記下部基板に固定された支持軸と、前記下部基板と所定の間隔をあけて配置された上部基板と、前記上部基板に垂直上方に伸びるよう設けられた柱材と、前記回転体の表面に対してほぼ平行になるよう前記柱材に設けられた細長い軸材とを有し、前記支持軸を前記上部基板に固定したり、前記上部基板との固定を解除したりすることにより、前記軸材を前記回転体に対して固定および固定の解除を可能に構成されており、
各回転部材はそれぞれ前記軸材の両端に、前記軸材を中心軸として前記軸材の周りを回転可能に設けられ、前記軸材周りの回転中心に対して互いに１８０度ずれて回転するよう構成されており、
前記制御部は各回転部材の前記軸材周りの回転による運動方向が前記回転体の回転による運動方向と一致して各回転部材に引っ張られて前記軸材の両端が加速されるとき、前記軸材が前記回転体の回転から独立可能に前記支持軸と前記上部基板との固定を解除し、各回転部材の前記軸材周りの回転による運動方向が前記回転体の回転による運動方向と逆になるとき、前記軸材が前記回転体とともに回転可能に前記支持軸を前記上部基板に固定するよう構成されており、
前記発電部は前記回転体の回転により前記軸材の両端が加速されて獲得したエネルギーを、下部基板に対する上部基板の回転として回収して発電するよう設けられていることを、
特徴とする回転体用発電装置。
【手続補正２】
【補正対象書類名】明細書
【補正対象項目名】０００６
【補正方法】変更
【補正の内容】
【０００６】
上記目的を達成するために、本発明に係る回転体用発電装置は、回転体の回転エネルギーを回収して発電する回転体用発電装置であって、支持部材と１対の回転部材と制御部と発電部とを有し、前記支持部材は前記回転体に設置され、前記回転体とともに回転するよう前記回転体の表面に固定可能な下部基板と、前記下部基板に固定された支持軸と、前記下部基板と所定の間隔をあけて配置された上部基板と、前記上部基板に垂直上方に伸びるよう設けられた柱材と、前記回転体の表面に対してほぼ平行になるよう前記柱材に設けられた細長い軸材とを有し、前記支持軸を前記上部基板に固定したり、前記上部基板との固定を解除したりすることにより、前記軸材を前記回転体に対して固定および固定の解除を可能に構成されており、各回転部材はそれぞれ前記軸材の両端に、前記軸材を中心軸として前記軸材の周りを回転可能に設けられ、前記軸材周りの回転中心に対して互いに１８０度ずれて回転するよう構成されており、前記制御部は各回転部材の前記軸材周りの回転による運動方向が前記回転体の回転による運動方向と一致して各回転部材に引っ張られて前記軸材の両端が加速されるとき、前記軸材が前記回転体の回転から独立可能に前記支持軸と前記上部基板との固定を解除し、各回転部材の前記軸材周りの回転による運動方向が前記回転体の回転による運動方向と逆になるとき、前記軸材が前記回転体とともに回転可能に前記支持軸を前記上部基板に固定するよう構成されており、前記発電部は前記回転体の回転により前記軸材の両端が加速されて獲得したエネルギーを、下部基板に対する上部基板の回転として回収して発電するよう設けられていることを、特徴とする。